(57)【要約】【課題】送信先グループに含まれる送信先のうち送信しない送信先を容易に入力できる表示を行う表示装置を提供すること。【解決手段】情報送信装置における送信先の入力を行う画面を表示する表示装置であって、前記送信先の入力を促す送信先入力画面を表示する送信先入力画面表示手段を有し、前記送信先入力画面は、前記送信先又は複数の前記送信先を含む送信先グループを入力するための送信先入力領域と、送信しない送信先又は送信しない前記送信先からなる送信先グループを非送信先として入力するための非送信先入力領域とを有する表示装置。【選択図】図２
2008071310.tif 000002
【特許請求の範囲】
【請求項１】
情報送信装置における送信先の入力を行う画面を表示する表示装置であって、
前記送信先の入力を促す送信先入力画面を表示する送信先入力画面表示手段を有し、
前記送信先入力画面は、前記送信先又は複数の前記送信先を含む送信先グループを入力するための送信先入力領域と、送信しない送信先又は送信しない前記送信先からなる送信先グループを非送信先として入力するための非送信先入力領域と、を有することを特徴とする表示装置。
【請求項２】
前記送信先入力領域に入力された前記送信先又は前記送信先グループを、指定送信先として取得する指定送信先取得手段と、
前記非送信先入力領域に入力された前記非送信先を取得する非送信先取得手段と
を有することを特徴とする請求項１記載の表示装置。
【請求項３】
前記指定送信先取得手段によって取得された前記指定送信先のうち、前記非送信先取得手段によって取得された前記非送信先を除いた送信先のアドレスを送信先アドレスとして取得する送信先アドレス取得手段を有することを特徴とする請求項２記載の表示装置。
【請求項４】
前記送信先入力領域が複数の場合に、
前記送信先入力領域毎に対応する指定送信先を比較することにより前記指定送信先の包含関係を取得する比較手段を有し、
前記送信先アドレス取得手段は、
前記比較手段において取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得することを特徴とする請求項３記載の表示装置。
【請求項５】
前記送信先入力領域が複数の場合に、
前記送信先入力領域の優先順を保持する優先順保持手段を有し、
前記送信先アドレス取得手段は、
前記優先順保持手段が保持する優先順に基づき、一の送信先入力領域に対応する前記指定送信先から、優先順が前記一の送信先領域より低い送信先入力領域に対応する前記指定送信先及び前記非送信先を除いた送信先のアドレスを、前記一の送信先入力領域に対応する前記送信先アドレスとして取得することを特徴とする請求項３記載の表示装置。
【請求項６】
送信先を指定する手段を有する情報送信装置であって、
前記送信先の入力を促す送信先入力画面を生成する送信先入力画面生成手段と、
前記送信先入力画面が有する送信先入力領域に入力された、前記送信先又は複数の前記送信先を含む送信先グループを、指定送信先として取得する指定送信先取得手段と、
前記送信先入力画面が有する非送信先入力領域に入力された、送信しない送信先又は送信しない前記送信先からなる送信先グループを、非送信先として取得する非送信先取得手段と
を有することを特徴とする情報送信装置。
【請求項７】
前記送信先入力領域が複数の場合に、
前記送信先入力領域毎に対応する指定送信先を比較することにより前記指定送信先の包含関係を取得する比較手段と、
前記比較手段において取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得するアドレス取得手段と
を有することを特徴とする請求項６記載の情報送信装置。
【請求項８】
前記送信先入力領域が複数の場合に、
前記送信先入力領域の優先順を保持する優先順保持手段と、
前記優先順保持手段が保持する優先順に基づき、一の送信先入力領域に対応する前記指定送信先から、優先順が当該送信先入力領域より低い送信先入力領域に対応する前記指定送信先及び前記非送信先を除いた送信先のアドレスを、当該送信先入力領域に対応する送信先アドレスとして取得する送信先アドレス取得手段と
を有することを特徴とする請求項６記載の情報送信装置。
【請求項９】
前記指定送信先に係る情報及び前記非送信先に係る情報を送信する送信手段を有することを特徴とする請求項６記載の情報送信装置。
【請求項１０】
情報を受信して表示する情報受信装置であって、
前記情報の送信先を表示する送信先表示画面を生成する送信先表示画面生成手段と、
指定送信先として送信された前記送信先又は複数の前記送信先を含む送信先グループを取得する指定送信先取得手段と、
非送信先として送信された、送信されないことを指定された送信先又は送信されないことを指定された前記送信先からなる送信グループを取得する非送信先取得手段とを有し、
前記送信先表示画面は、前記指定送信先の表示のための送信先表示領域と、前記非送信先の表示のための非送信先表示領域と、を有することを特徴とする情報受信装置。
【請求項１１】
情報送信装置における送信先の入力を行う画面を表示する表示装置における表示方法であって、
前記送信先の入力を促す送信先入力画面を表示する送信先入力画面表示ステップを有し、
前記送信先入力画面は、前記送信先又は複数の前記送信先を含む送信先グループを指定送信先として入力するための送信先入力領域と、送信しない送信先又は送信しない前記送信先からなる送信先グループを非送信先として入力するための非送信先入力領域と、を有することを特徴とする表示方法。
【請求項１２】
情報送信装置における送信先指定方法であって、
送信先の入力を促す送信先入力画面を生成する送信先入力画面生成ステップと、
前記送信先入力画面が有する送信先入力領域に入力された、前記送信先又は複数の前記送信先を含む送信先グループを、指定送信先として取得する指定送信先取得ステップと、
前記送信先入力画面が有する非送信先入力領域に入力された、送信しない送信先又は送信しない前記送信先からなる送信先グループを、送信しない非送信先として取得する非送信先取得ステップと
を有することを特徴とする送信先指定方法。
【請求項１３】
前記送信先入力領域が複数の場合に、
前記送信先入力領域毎に対応する指定送信先を比較することにより前記指定送信先の包含関係を取得する比較ステップと、
前記比較ステップにおいて取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得するアドレス取得ステップと
を有することを特徴とする請求項１２記載の送信先指定方法。
【請求項１４】
前記送信先入力領域が複数の場合に、
前記送信先入力領域の優先順を保持する優先順保持ステップと、
前記優先順保持ステップにおいて保持される優先順に基づき、一の送信先入力領域に対応する前記指定送信先から、優先順が当該送信先入力領域より低い送信先入力領域に対応する前記指定送信先及び前記非送信先を除いた送信先のアドレスを、当該送信先入力領域に対応する送信先アドレスとして取得する送信先アドレス取得ステップと
を有することを特徴とする請求項１２記載の送信先指定方法。
【請求項１５】
情報を受信して表示する情報受信装置における送信先表示方法であって、
前記情報の送信先を表示する送信先表示画面を生成する送信先表示画面生成ステップと、
指定送信先として送信された前記送信先又は複数の前記送信先を含む送信先グループを取得する指定送信先取得ステップと、
非送信先として送信された、送信されないことを指定された送信先又は送信されないことを指定された前記送信先からなる送信グループを取得する非送信先受信ステップと有し、
前記送信先表示画面は、前記指定送信先の表示のための送信先表示領域と、前記非送信先の表示のための非送信先表示領域と、を有することを特徴とする送信先表示方法。
【請求項１６】
請求項１１記載の表示方法をコンピュータに実行させるための表示プログラム。
【請求項１７】
請求項１２ないし１４何れか一項に記載の送信先指定方法をコンピュータに実行させるための送信先指定プログラム。
【請求項１８】
請求項１５記載の送信先表示方法をコンピュータに実行させるための送信先表示プログラム。
【発明の詳細な説明】
【技術分野】
【０００１】
本発明は、情報送信装置、及び、情報送信装置における表示装置、情報受信装置、並びに、その方法、及び、そのプログラム、に係り、特に、ファクシミリ、電子メール、インスタントメッセージング等、複数の送信先に情報を送る機能を備えた情報送信装置、及び、情報送信装置における表示装置、情報受信装置、並びに、その方法、及び、そのプログラムに関する。
【０００２】
また、本発明は、ファクシミリ装置、マルチファンクション装置（ＭＦＰ）、パーソナルコンピュータ、ＰＤＡ、及び、携帯電話等に適用できる。
【背景技術】
【０００３】
従来から、電子メール等の情報を送信する際に、操作者が、複数の送信先からなるグループの名称又はグループのアドレス等を指定した後、送信の指示を一回だけ行うことにより、当該グループに含まれる複数の送信先に対し、同一のメールを送信する技術がある。そのようなグループは、電子メールの場合は、メール送受信端末又はメールサーバが保持するアドレス帳内のグループアドレス、又は、メールサーバが保持するメーリングリスト等として作成される。また、ファクシミリの場合は、例えば、ファクシミリサーバ等に複数の送信先からなるグループが登録される。
【０００４】
ところで、グループとして登録されている送信先の中で、一部の送信先を除く他の送信先に対してメール等を送信する場合には、メール送信装置の操作者が、グループアドレスに含まれる送信先を変更若しくは削除する、送信したい送信先からなるグループアドレスを新規に作成する、又は、送信したい送信先の全てを一つずつ指定する、等の方法がある。しかしながら、上記何れの方法も、多数の送信先に送信する場合や、既に作成されているグループアドレスからの変更が多い場合には、操作者にとって過大な労力が必要となるという課題があった。
【０００５】
そこで、特開２０００−１９４６１９号公報（特許文献１）には、メールサーバが、メーリングリストに登録されている送信先のうち、送信しない送信先のメールアドレスを所定の入力形式によって受け付けるメーリングリスト削除方式の技術が開示されている。
【０００６】
また、特開２００２−２４４９７２号公報（特許文献２）には、グループ登録された送信先のメールアドレスを任意に増減できる演算記号を予め定義しておくことにより、グループ名を宛先としながら送信先を任意に増減できる電子メールの送信先設定方法の技術が開示されている。
【特許文献１】特開２０００−１９４６１９号公報
【特許文献２】特開２００２−２４４９７２号公報
【発明の開示】
【発明が解決しようとする課題】
【０００７】
しかしながら、上記特許文献１及び２に開示されているメーリングリスト削除方式等の技術は、いずれも、メールを送信しようとする者等が、予め定められた入力形式又は演算記号等により送信先を指定するものであるため、送信しようとする者が、予めそれらの入力形式等を知った上で入力等しなくてはならず、入力の手間がかかるという不具合があった。
【０００８】
ところで、メール等における宛先は、例えば、「Ｔｏ」「ＣＣ」「ＢＣＣ」のように、階層化されていることが多い。そこで、「Ｔｏ」においてグループアドレスと当該グループアドレスのうち送信しない送信先とを指定し、「ＣＣ」において「Ｔｏ」で送信しない送信先として指定された送信先の中から一部の送信先を指定する場合、上記特許文献１及び２に開示されている技術によれば、一の送信先について、「Ｔｏ」では送信しない指定を入力し、「ＣＣ」では送信する指定を入力しなくてはならない。これは、一の送信先を２度入力することになり、操作者にとって入力の手間が増えるという不具合があった。
【０００９】
本発明は、上記の点に鑑みて、これらの問題を解消するために発明されたものであり、送信先グループに含まれる送信先のうち送信しない送信先を容易に入力できる表示を行う表示装置を提供することを目的としている。
【課題を解決するための手段】
【００１０】
上記目的を達成するために、本発明の表示装置は次の如き構成を採用した。
【００１１】
本発明の表示装置は、情報送信装置における送信先の入力を行う画面を表示する表示装置であって、前記送信先の入力を促す送信先入力画面を表示する送信先入力画面表示手段を有し、前記送信先入力画面は、前記送信先又は複数の前記送信先を含む送信先グループを入力するための送信先入力領域と、送信しない送信先又は送信しない前記送信先からなる送信先グループを非送信先として入力するための非送信先入力領域と、を有する構成とすることができる。
【００１２】
これにより、送信先グループに含まれる送信先のうち送信しない送信先を明瞭かつ容易に入力できる表示を行う表示装置を提供することができる。
【００１３】
また、上記目的を達成するために、本発明の表示装置は、さらに、前記送信先入力領域に入力された前記送信先又は前記送信先グループを、指定送信先として取得する指定送信先取得手段と、前記非送信先入力領域に入力された前記非送信先を取得する非送信先取得手段と
を有する構成とすることができる。
【００１４】
これにより、取得する指定送信先と非送信先とが明瞭である表示装置を提供することができる。
【００１５】
また、上記目的を達成するために、本発明の表示装置は、さらに、前記指定送信先取得手段によって取得された前記指定送信先のうち、前記非送信先取得手段によって取得された前記非送信先を除いた送信先のアドレスを送信先アドレスとして取得する送信先アドレス取得手段を有する構成とすることができる。
【００１６】
これにより、送信先アドレスの取得に用いられる、指定送信先と非送信先とが明瞭である表示装置を提供することができる。
【００１７】
また、上記目的を達成するために、本発明の表示装置は、さらに、前記送信先入力領域が複数の場合に、前記送信先入力領域毎に対応する指定送信先を比較することにより前記指定送信先の包含関係を取得する比較手段を有し、前記送信先アドレス取得手段は、前記比較手段において取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得するように構成することができる。
【００１８】
これにより、送信入力領域毎に、指定送信先の包含関係に基づき、送信先アドレスを取得する表示装置を提供することができる。
【００１９】
また、上記目的を達成するために、本発明の表示装置は、さらに、前記送信先入力領域が複数の場合に、前記送信先入力領域の優先順を保持する優先順保持手段を有し、前記送信先アドレス取得手段は、前記優先順保持手段が保持する優先順に基づき、一の送信先入力領域に対応する前記指定送信先から、優先順が前記一の送信先領域より低い送信先入力領域に対応する前記指定送信先及び前記非送信先を除いた送信先のアドレスを、前記一の送信先入力領域に対応する前記送信先アドレスとして取得するように構成することができる。
【００２０】
これにより、送信先入力領域毎に対応する優先順に基づき、送信先グループに含まれる送信先を、送信先入力領域毎に対応させて取得させる表示を明瞭に行う表示装置を提供することができる。
【００２１】
また、上記目的を達成するために、本発明の情報送信装置は、送信先を指定する手段を有する情報送信装置であって、前記送信先の入力を促す送信先入力画面を生成する送信先入力画面生成手段と、前記送信先入力画面が有する送信先入力領域に入力された、前記送信先又は複数の前記送信先を含む送信先グループを、指定送信先として取得する指定送信先取得手段と、前記送信先入力画面が有する非送信先入力領域に入力された、送信しない送信先又は送信しない前記送信先からなる送信先グループを、非送信先として取得する非送信先取得手段とを有する構成とすることができる。
【００２２】
これにより、送信先グループに含まれる送信先のうち送信しない送信先を明瞭かつ容易に入力できる表示を行い、指定送信先と非送信先とを取得する情報送信装置を提供することができる。
【００２３】
また、上記目的を達成するために、本発明の情報送信装置は、さらに、前記送信先入力領域が複数の場合に、前記送信先入力領域毎に対応する指定送信先を比較することにより前記指定送信先の包含関係を取得する比較手段と、前記比較手段において取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得するアドレス取得手段とを有する構成とすることができる。
【００２４】
これにより、送信入力領域毎に、指定送信先の包含関係に基づき、送信先アドレスを取得する情報送信装置を提供することができる。
【００２５】
また、上記目的を達成するために、本発明の情報送信装置は、さらに、前記送信先入力領域が複数の場合に、前記送信先入力領域の優先順を保持する優先順保持手段と、前記優先順保持手段が保持する優先順に基づき、一の送信先入力領域に対応する前記指定送信先から、優先順が当該送信先入力領域より低い送信先入力領域に対応する前記指定送信先及び前記非送信先を除いた送信先のアドレスを、当該送信先入力領域に対応する送信先アドレスとして取得する送信先アドレス取得手段とを有する構成とすることができる。
【００２６】
これにより、送信先入力領域毎に対応する優先順に基づき、送信先グループに含まれる送信先を、送信先入力領域毎に対応させて取得する情報送信装置を提供することができる。
【００２７】
また、上記目的を達成するために、本発明の情報送信装置は、さらに、前記指定送信先に係る情報及び前記非送信先に係る情報を送信する送信手段を有する構成とすることができる。
【００２８】
これにより、指定送信先及び非指定送信先のアドレス等を送信する情報送信装置を提供することができる。
【００２９】
また、上記目的を達成するために、本発明の情報受信装置は、情報を受信して表示する情報受信装置であって、前記情報の送信先を表示する送信先表示画面を生成する送信先表示画面生成手段と、指定送信先として送信された前記送信先又は複数の前記送信先を含む送信先グループを取得する指定送信先取得手段と、非送信先として送信された、送信されないことを指定された送信先又は送信されないことを指定された前記送信先からなる送信グループを取得する非送信先取得手段とを有し、前記送信先表示画面は、前記指定送信先の表示のための送信先表示領域と、前記非送信先の表示のための非送信先表示領域と、を有する構成とすることができる。
【００３０】
これにより、指定送信先として指定された送信先グループ等と、送信されないことを指定された送信先等を、明瞭に表示する情報受信装置を提供することができる。
【００３１】
また、上記目的を達成するために、本発明の表示方法は、情報送信装置における送信先の入力を行う画面を表示する表示装置における表示方法であって、前記送信先の入力を促す送信先入力画面を表示する送信先入力画面表示ステップを有し、前記送信先入力画面は、前記送信先又は複数の前記送信先を含む送信先グループを指定送信先として入力するための送信先入力領域と、送信しない送信先又は送信しない前記送信先からなる送信先グループを非送信先として入力するための非送信先入力領域と、を有する構成とすることができる。
【００３２】
また、上記目的を達成するために、本発明の送信先指定方法は、情報送信装置における送信先指定方法であって、送信先の入力を促す送信先入力画面を生成する送信先入力画面生成ステップと、前記送信先入力画面が有する送信先入力領域に入力された、前記送信先又は複数の前記送信先を含む送信先グループを、指定送信先として取得する指定送信先取得ステップと、前記送信先入力画面が有する非送信先入力領域に入力された、送信しない送信先又は送信しない前記送信先からなる送信先グループを、送信しない非送信先として取得する非送信先取得ステップとを有する構成とすることができる。
【００３３】
また、上記目的を達成するために、本発明の送信先指定方法は、さらに、前記送信先入力領域が複数の場合に、前記送信先入力領域毎に対応する指定送信先を比較することにより前記指定送信先の包含関係を取得する比較ステップと、前記比較ステップにおいて取得された包含関係に基づき、第一の送信先入力領域に入力された第一の指定送信先を全て含む第二の送信先入力領域に入力された第二の指定送信先から、前記第一の指定送信先を除いた送信先のアドレスを、前記第二の送信先入力領域に対応する前記送信先アドレスとして取得するアドレス取得ステップとを有する構成とすることができる。
【００３４】
また、上記目的を達成するために、本発明の送信先指定方法は、さらに、前記送信先入力領域が複数の場合に、前記送信先入力領域の優先順を保持する優先順保持ステップと、前記優先順保持ステップにおいて保持される優先順に基づき、一の送信先入力領域に対応する前記指定送信先から、優先順が当該送信先入力領域より低い送信先入力領域に対応する前記指定送信先及び前記非送信先を除いた送信先のアドレスを、当該送信先入力領域に対応する送信先アドレスとして取得する送信先アドレス取得ステップとを有する構成とすることができる。
【００３５】
また、上記目的を達成するために、本発明の送信先表示方法は、情報を受信して表示する情報受信装置における送信先表示方法であって、前記情報の送信先を表示する送信先表示画面を生成する送信先表示画面生成ステップと、指定送信先として送信された前記送信先又は複数の前記送信先を含む送信先グループを取得する指定送信先取得ステップと、非送信先として送信された、送信されないことを指定された送信先又は送信されないことを指定された前記送信先からなる送信グループを取得する非送信先受信ステップと有し、前記送信先表示画面は、前記指定送信先の表示のための送信先表示領域と、前記非送信先の表示のための非送信先表示領域と、を有するように構成することができる。
【００３６】
また、上記目的を達成するために、本発明の表示プログラムは、請求項１１記載の表示方法をコンピュータに実行させるための表示プログラムとして構成することができる。
【００３７】
また、上記目的を達成するために、本発明の送信先指定プログラムは、請求項１２ないし１４何れか一項に記載の送信先指定方法をコンピュータに実行させるための送信先指定プログラムとして構成することができる。
【００３８】
また、上記目的を達成するために、本発明の送信先表示プログラムは、請求項１５記載の送信先表示方法をコンピュータに実行させるための送信先表示プログラムとして構成することができる。
【発明の効果】
【００３９】
本発明の表示装置によれば、送信先グループに含まれる送信先のうち送信しない送信先を容易に入力できる表示を行う表示装置を提供することが可能になる。
【発明を実施するための最良の形態】
【００４０】
以下、本発明の一実施の形態を図面に基づき説明する。    
［第一の実施の形態］
（ネットワーク構成の例）
図１は、本発明の一実施形態に係る表示装置を有する情報送信装置を含むネットワーク構成の例の図である。図１では、情報送信装置１００、及び、情報受信装置２００がネットワーク８００を介して接続され、情報の送信と受信とを行っている。図１では、さらに、情報の送受信先を制御する情報送受信サーバが、ネットワーク８００に接続されている。
【００４１】
情報送信装置１００は、指定された送信先に対して情報を送信する装置であって、表示装置１１０、及び、送信手段１３０を有する。情報送信装置１００は、さらに、送信先情報保持手段１９０を有してもよい。表示装置１１０は、情報送信装置１００が送信する情報の送信先等の表示を行う装置である。表示装置１１０は、また、情報送信装置１００の状態等を表示してもよい。送信手段１３０は、情報送信装置１００が送信する情報を、ネットワーク８００を介して又は直接、情報送受信サーバ９００等に対して送信する手段である。
【００４２】
送信先情報保持手段１９０は、情報送信装置１００が情報を送信する際の送信先に係る情報を保持する手段である。送信先情報保持手段１９０は、例えば、情報送信装置１００が電子メール送信装置として構成される場合には、電子メールアドレスのアドレスを保持する記憶手段として構成されてもよい。送信先情報保持手段１９０は、また、情報送信装置１００がファクシミリ装置として構成される場合には、送信先のファクシミリ番号（電話番号）を保持する記憶手段として構成されてもよい。
【００４３】
なお、送信先情報保持手段１９０は、必ずしも、情報送信装置１００に設けられていなくてもよい。例えば、情報送受信サーバ９００が送信先に係る情報を保持することにより、情報送信装置１００が、情報送受信サーバ９００より送信先に係る情報を取得する構成であってもよい。また、情報送信装置１００が、情報送受信サーバ９００に対し、情報を送信することにより、情報送受信サーバ９００が、所定の送信先に対して情報を送信する構成であってもよい。
【００４４】
情報受信装置２００は、情報を受信して表示する装置であって、表示手段２１０と受信手段２３０とを有する。表示手段２１０は、情報受信装置２００が受信した情報した情報の送信先等の表示を行う装置である。表示手段２１０は、また、受信した情報の表示、又は、情報受信装置２００の状態等の表示を行ってもよい。受信手段２３０は、情報受信装置２００が受信する情報等を受信する手段であって、例えば、ネットワーク８００を介して送信された情報を受信する手段である。
【００４５】
情報送受信サーバ９００は、ネットワーク８００を介して送信及び受信される情報の送信先等の制御を行う装置である。情報送受信サーバ９００は、例えば、情報が電子メールの場合には、メールサーバとして構成されてもよい。情報送受信サーバ９００は、また、情報がファクシミリによって送信される場合には、ファクシミリサーバとして構成されてもよい。情報送受信サーバ９００は、送信先情報保持手段９９０を有してもよい。送信先情報保持手段９９０は、送信先に係る情報を保持する手段である。送信先情報保持手段９９０は、電子メールアドレス、電子メールのグループアドレス、メーリングリストに係る情報、ファクシミリ番号、又は、ファクシミリの同報グループに係る情報等を保持する記憶手段として構成されてもよい。
【００４６】
なお、図１では、装置等はネットワークを介して接続されているが、本発明の一実施形態に係る表示装置等は、図１の例に限らず、例えば、一対の装置がネットワークを介さずに送受信を行うように構成されてもよい。
【００４７】
また、本発明の一実施形態に係る表示装置は、情報送信装置１００の中に設けられていなくてもよい。本発明の一実施形態に係る表示装置は、情報送信装置１００とネットワークを介して接続されるか、又は、直接接続されることにより、送信先入力画面を表示するように構成されてもよい。本発明の一実施形態に係る情報送信装置は、表示装置１１０を有していなくてもよい。
【００４８】
（情報送信装置及び情報受信装置の機能構成の例）
図２は、図１における情報送信装置１００及び情報受信装置２００の機能構成の例である。情報送信装置１００及び情報受信装置２００は、ネットワーク８００を介して接続され、情報の送信と受信とを行っている。
【００４９】
情報送信装置１００は、表示装置１１０、送信先入力画面生成手段１２０、及び、送信手段１３０を有する。情報送信装置１００は、さらに、入力手段１４０、及び、送信先情報保持手段１９０を有してもよい。
【００５０】
表示装置１１０は、情報送信装置１００が送信する情報の送信先等を表示する装置であって、送信先入力画面表示手段１１１、指定送信先取得手段１１２、非送信先取得手段１１３、及び、送信先アドレス取得手段１１４を有する。表示装置１１０は、さらに、比較手段１１５、及び、優先順保持手段１１６を有してもよい。
【００５１】
送信先入力画面表示手段１１１は、本発明の一実施形態に係る表示装置１１０が有する機能の主たる部分を実現する手段であって、少なくとも送信先入力領域と非送信先入力領域とを有する送信先入力画面の表示を行う。送信先入力領域は、送信先入力画面の中に複数設けられていてもよい。非送信先入力領域は、送信先入力領域の中に少なくとも一つ設けられている。非送信先入力領域が複数の場合には、送信先入力領域毎に対応する非送信先入力領域が定められているように構成してもよい。
【００５２】
指定送信先取得手段１１２は、送信先入力領域に入力された送信先を指定送信先として取得する手段であり、非送信先取得手段１１３は、非送信先入力領域に入力された送信先を非送信先として取得する手段である。
【００５３】
送信先アドレス取得手段１１４は、指定送信先から非送信先を除く送信先のアドレスを取得する手段である。指定送信先又は非送信先がグループアドレスを含む場合には、送信先アドレス取得手段は、送信先のアドレスの取得に先立って、グループアドレスに含まれる送信先を取得する。なお、グループアドレスに含まれる送信先のリスト等のグループアドレス情報は、情報送信装置１００が有する送信先情報保持手段１９０に格納されていてもよい。グループアドレス情報は、また、情報送受信サーバ９００が有する送信先情報保持手段９９０に格納され、情報送信装置１００が有する送信手段１３０及び図示しない受信手段等によって取得される構成でもよい。
【００５４】
比較手段１１５及び優先順保持手段１１６は、送信先入力画面に複数の送信先入力領域がある場合に、送信先入力領域毎の送信先アドレスを取得するために供せられる手段である。比較手段１１５は、各送信先入力領域に入力された指定送信先を取得して比較することにより、送信先入力領域に対応する送信先の間の包含関係を取得する。例えば、送信先入力領域Ａに入力された送信先が（ａ、ｂ、ｃ、d）の４つの送信先であり、送信先入力領域Ｂに対応する送信先が（ｂ、ｃ）の場合には、送信先入力領域Ａが送信先入力領域Ｂを包含している。そこで、送信先アドレス取得手段１１４は、送信先入力領域Ａに対応する送信先から送信先入力領域Ｂに対応する送信先を除いた送信先のアドレスを、送信先入力領域Ａに対応するアドレス（アドレスａ、アドレスｄ）とし、送信先入力領域Ｂに対応するアドレスを（アドレスｂ、アドレスｃ）とする。
【００５５】
なお、上記の例において、非送信先が入力されている場合には、送信先入力領域Ａ及びＢに対応する送信先のアドレスから、さらに、非送信先のアドレスを除いたアドレスを、新たに、それぞれ、送信先入力領域Ａ及びＢに対応する送信先のアドレスとする。
【００５６】
優先順保持手段１１６は、複数の送信先入力領域毎の優先順を保持する手段である。送信先入力領域の優先順によって送信先のアドレスを定める場合には、送信先アドレス取得手段１１４は、一の送信先入力領域に入力された送信先から、当該送信先入力領域よりも優先順が低い送信先入力領域の送信先を除いた送信先のアドレスを、当該送信先入力領域に対応する送信先のアドレスとする。
【００５７】
例えば、送信先入力領域として、「Ｔｏ」「ＣＣ」「ＢＣＣ」の３つに対応する送信先入力領域があり、「Ｔｏ」の優先順が最も高く、次いで「ＣＣ」「ＢＣＣ」の順である場合には、「Ｔｏ」の領域に入力された送信先から「ＣＣ」及び「ＢＣＣ」の領域に入力された送信先を除いた送信先のアドレスを、「Ｔｏ」の領域に対応する送信先のアドレスとする。
【００５８】
なお、上記の例において、非送信先が入力されている場合には、当該送信先入力領域に対応する送信先のアドレスから、さらに、非送信先のアドレスを除いたアドレスを、新たに、当該送信先入力領域に対応する送信先のアドレスとする。
【００５９】
送信先入力画面生成手段１２０は、送信先入力画面を生成する手段である。送信手段１３０は、送信先アドレス取得手段１１４によって取得された送信先のアドレスに対し、情報等を送信する手段である。送信手段１３０は、また、情報送受信サーバ９００に対し、グループアドレスに含まれる送信先のアドレスの取得を要求等してもよい。これにより、図示しない受信手段によって、情報送受信サーバ９００より、グループアドレスに対応する送信先のアドレスを取得することができる。
【００６０】
入力手段１４０は、情報送信装置１００が実行する処理の指示等を入力する手段であって、情報送信装置１００が送信する情報の送信先を指定するための指定送信先及び非送信先を入力する手段である。なお、指定送信先及び非送信先の入力は、入力手段１４０によって行われる他に、情報送信装置１００に接続された他の装置から入力し、図示しない受信手段によって受信するように構成されてもよい。これにより、ネットワーク８００等を介して接続された図示しない他の装置から入力された指定送信先又は非送信先を、指定送信先取得手段１１２又は非送信先取得手段１１３によって取得することができる。
【００６１】
送信先情報保持手段１９０は、図１と同じ構成であるので、ここでは説明を省略する。
【００６２】
なお、指定送信先取得手段１１２、非送信先取得手段１１３、送信先アドレス取得手段１１４、比較手段１１５、又は、優先順保持手段１１６は、表示装置１１０がそれらを有する構成に代えて、情報送信装置１００がそれらを有する構成でもよい。
【００６３】
情報受信装置２００は、情報送信装置１００等から受信する情報を表示する装置であって、表示手段２１０、送信先表示画面生成手段２２０、指定送信先取得手段２０２、非送信先取得手段２０３、及び、受信手段２３０を有する。情報受信装置２００は、さらに、入力手段２４０を有してもよい。
【００６４】
表示手段２１０は、情報受信装置２００が受信した情報、及び、情報の送信先等を表示する手段である。表示手段２２０は、送信先表示画面生成手段２２０によって生成された送信先表示画面の表示を行う。
【００６５】
送信先表示画面生成手段２２０は、送信先表示画面を生成する手段である。送信先表示画面は、情報受信装置２００が受信した情報の指定送信先、及び、非送信先を表示する領域を有する。
【００６６】
指定送信先取得手段２０２は、情報受信装置２００が受信した情報に含まれる、当該情報の指定送信先を取得する手段であり、非送信先取得手段２０３は、当該情報の非送信先を取得する手段である。指定送信先取得手段２０２によって取得された指定送信先、又は、非送信先取得手段２０３によって取得された非送信先が、送信先表示画面生成手段２２０によって、送信先表示画面に含められ、表示手段によって表示される。
【００６７】
受信手段２３０は、ネットワーク８００等を介して情報送信装置１００等から情報を受信する手段である。入力手段２４０は、情報受信装置２００が実行する処理の指示等の入力を行う手段である。
【００６８】
（アドレス帳の説明）
図３は、情報送信装置１００が有する送信先情報保持手段１９０に格納されている送信先のアドレス等の例であって、電子メールアドレスを含むアドレス帳の表示の例である。図３では、「メインユーザー」のアドレス帳が表示されている。ペイン１では、表示する送信先又はグループアドレスの選択を行う。図３では「メインユーザーの連絡先」が選択されハイライト表示になっている。ペイン２には、「メインユーザーの連絡先」の一覧として、名前「ＡＡＡ」から「ＪＪＪ」とそれらの名前に対応する電子メールアドレス、「グループ０１」、及び、「全員」が表示されている。「グループ０１」及び「全員」は、グループアドレスである。
【００６９】
図４は、「グループ０１」に含まれる送信先を説明する図である。図４のペイン１では、「グループ０１」が選択されハイライト表示になっており、ペイン２では「グループ０１」に含まれる送信先の一覧として、名前「ＥＥＥ」から「ＪＪＪ」とそれらの名前に対応する電子メールアドレスが表示されている。図４では「グループ０１」は、「ＥＥＥ」、「ＦＦＦ」、「ＧＧＧ」、「ＨＨＨ」、「ＩＩＩ」、及び、「ＪＪＪ」の６つの送信先を含んでいる。
【００７０】
図５は、「全員」に含まれる送信先を説明する図である。図５のペイン１では、「全員」が選択されハイライト表示になっており、ペイン２では「全員」の送信先の一覧として、名前「ＡＡＡ」から「ＪＪＪ」とそれらの名前に対応する電子メールアドレスが表示されている。
【００７１】
（従来の電子メールの送信先の入力の例）
図６及び図７は、従来の電子メールの送信先の入力画面の例である。本発明の一実施形態に係る表示装置等の理解を容易にするために、本発明の一実施形態に係る表示装置による入力画面の例に先立って図６及び図７を説明する。図６の画面では、送信先入力領域として、「宛先」欄３、及び、「ＣＣ」欄４が設けられている。図６の画面では、さらに、電子メールの「件名」欄５、及び、電子メールの「本文」欄６が設けられ、「宛先」欄３に、グループアドレスである「全員」が入力されている。
【００７２】
図７は、図６と同様に、従来の電子メール送信先の入力画面の例である。図７の画面では、「宛先」欄３に、「ＡＡＡ」から「ＩＩＩ」の９つの送信先が入力されている。従来の送信先指定方法では、グループアドレス「全員」に含まれる送信先のうち、「ＪＪＪ」を除く他の送信先に電子メールを送信する場合には、図７のように「宛先」欄３に入力することにより、送信先を指定していた。
【００７３】
（本発明の一実施形態に係る表示装置による電子メールの送信先の入力の例）
図８から図１２は、本発明の一実施形態に係る表示装置等による電子メールの送信先の入力画面の例である。図８の画面では、送信先入力領域として、図６と同様に、「宛先」欄３、及び、「ＣＣ」欄４が設けられている。図８の画面では、さらに、非送信先入力領域として、「除外」欄９が設けられている。「宛先」欄３にはグループアドレス「全員」が入力され、「除外」欄９には、非送信先として「ＪＪＪ」が入力されている。図８のように「宛先」欄３及び「除外」欄９に入力することにより、図７と等価な送信先の指定ができる。
【００７４】
なお、本実施の形態では、図８の送信先入力画面の構成の例を元に説明するが、本発明の一実施形態に係る表示装置等が表示する送信先入力画面は、図８の構成の例に限らず、送信先入力領域と非送信先入力領域とを有する送信先入力画面であればよい。例えば、図８において、所定のアイコン又はプルダウンメニュー等を選択することにより、送信先入力画面が表示される構成でもよい。さらに、送信先入力領域と非送信入力領域とがそれぞれ独立して表示され、それらの領域に入力された送信先が、指定送信先取得手段１１２等によって取得され図８の画面に反映される構成であってもよい。
【００７５】
図９は、本発明の一実施形態に係る表示装置等による電子メールの送信先の入力画面の例であって、図８の例に加えて、複数の送信先入力領域に指定送信先が入力されている場合の例である。図９では、「宛先」欄３に、グループアドレス「全員」が入力され、「ＣＣ」欄４には、送信先の名前「ＢＢＢ」及びグループアドレス「グループ０１」が入力されている。また、「除外」欄９には、送信先の名前「ＪＪＪ」が入力されている。
【００７６】
図１０は、図９の例における、各送信先入力領域に対応する送信先の決定方法を示す原理図である。「宛先」欄３に入力されたグループアドレス「全員」と、「ＣＣ」欄４に入力された「ＢＢＢ」及び「グループ０１」とを比較すると、「全員」が、「ＢＢＢ」及び「グループ０１」を包含している。そこで、図１０（ａ）に示すように、「全員」から、「グループ０１」及び「ＢＢＢ」を除く、「ＡＡＡ」、「ＣＣＣ」、及び、「ＤＤＤ」を、「宛先」欄３に対応する送信先とし、そのアドレスを取得する。
【００７７】
「ＣＣ」欄４に対応する送信先のアドレスを取得する手順も、上記の「宛先」欄３に対応する送信先のアドレスの取得手順と、略同一である。「ＣＣ」欄４に入力された「ＢＢＢ」及び「グループ０１」の送信先は、「ＢＢＢ」と「ＥＥＥ」から「ＪＪＪ」の７つの送信先である。このうち、「除外」欄９に入力された「ＪＪＪ」を除く、「ＢＢＢ」、「ＥＥＥ」、「ＦＦＦ」、「ＧＧＧ」、「ＨＨＨ」、及び、「ＩＩＩ」の６つの送信先を、「ＣＣ」欄４に対応する送信先とし、そのアドレスを取得する。
【００７８】
（送信先入力領域毎の送信先のアドレスの取得の処理のフローの例）
図１１は、送信先入力領域毎に対応する送信先のアドレスを取得する処理の例のフローである。図１１（Ａ）は、指定送信先及び非送信先を取得する処理であり、図１１（Ｂ）は、指定送信先及び非送信先から、送信先入力領域毎に対応する送信先のアドレスを取得する処理の例である。
【００７９】
図１１（Ａ）のステップＳ１０１では、送信先入力画面生成手段１２０が、送信先入力画面を生成する。送信先入力画面は、少なくとも一つの送信先入力領域と、非送信先入力領域とを有し、例えば、図９で説明した態様の画面である。ステップＳ１０１に続いてステップＳ１０２では、送信先入力画面表示手段１１１が、ステップＳ１０１で生成された送信先入力画面の表示を行う。
【００８０】
ステップＳ１０２に続いてステップＳ１０３では、指定送信先取得手段１１２が、送信先入力領域に入力された送信先を、指定送信先として取得する。図９の例では、「宛先」欄３及び「ＣＣ」欄４に入力された送信先を、指定送信先として取得する。なお、指定送信先がグループアドレスを含む場合には、指定送信先取得手段１１２は、グループアドレスに含まれる送信先を取得してもよい。
【００８１】
ステップＳ１０３に続いてステップＳ１０４では、非送信先取得手段１１３が、非送信先入力領域に入力された送信先を、非送信先として取得する。図９の例では、「除外」欄９に入力された送信先を、非送信先として取得する。なお、非送信先がグループアドレスを含む場合には、非送信先取得手段１１３は、グループアドレスに含まれる送信先を取得してもよい。
【００８２】
以上のステップＳ１０１からステップＳ１０４の処理によって、送信先入力画面に入力された送信先を、指定送信先又は非送信先として取得する処理が終了する。
【００８３】
図１１（Ａ）の処理に続いて、図１１（Ｂ）の処理が実行される。図１１（Ｂ）のステップＳ１０５では、比較手段１１５が、「宛先」欄３及び「ＣＣ」欄４に入力された送信先の比較を行う。なお、「宛先」欄３及び「ＣＣ」欄４に入力された送信先にグループアドレスが含まれる場合には、比較手段１１５が、グループアドレスに含まれる送信先を取得した後に、比較を行ってもよい。
【００８４】
ステップＳ１０５に続いてステップＳ１０６では、比較手段１１５が、「宛先」欄３に入力された送信先と、「ＣＣ」欄４に入力された送信先とを比較した結果から、同一の送信先の有無を判断する。同一の送信先が有る場合には、ステップＳ１０７に進み、同一の送信先が無い場合には、ステップＳ１１１に進む。
【００８５】
ステップＳ１０６に続いてステップＳ１０７では、比較手段１１５が、「宛先」欄３に入力された送信先と、「ＣＣ」欄４に入力された送信先とを比較した結果から、「宛先」欄３に入力された送信先からなる集合（以下、「宛先集合」という）が、「ＣＣ」欄４に入力された送信先からなる集合（以下、「ＣＣ集合」という）の部分集合であるか否かを判断する。宛先集合がＣＣ集合の部分集合である場合には、ステップＳ１０８に進み、宛先集合がＣＣ集合の部分集合ではない場合には、ステップＳ１０９に進む。
【００８６】
ステップＳ１０７に続いてステップＳ１０８では、送信先アドレス取得手段１１４が、ＣＣ集合に含まれる送信先から宛先集合に含まれる送信先を除いた送信先のアドレスを、「ＣＣ」欄４に対応する送信先のアドレスとして取得し、宛先集合に含まれる送信先のアドレスを「宛先」欄３に対応する送信先のアドレスとして取得する。
【００８７】
図１２は、宛先集合がＣＣ集合の部分集合である場合の例である。図１２において、「宛先」欄３には、「ＡＡＡ」、「ＣＣＣ」、及び、「ＤＤＤ」の送信先が入力され、「ＣＣ」欄４には、グループアドレス「全員」が入力されている。そこでステップＳ１０８では、送信先アドレス取得手段１１４が、「宛先」欄３に対応する送信先として「ＡＡＡ」、「ＣＣＣ」、及び、「ＤＤＤ」を取得し、それらの送信先のアドレスを取得する。一方、「ＣＣ」欄４に対応する送信先として「全員」から、「宛先」欄３に入力された３つの送信先を除く、「ＢＢＢ」、「ＥＥＥ」、「ＦＦＦ」、「ＧＧＧ」、「ＨＨＨ」、「ＩＩＩ」、及び、「ＪＪＪ」の７つの送信先を取得し、それらの送信先のアドレスを取得する。
【００８８】
図１１に戻り、ステップＳ１０７において、宛先集合がＣＣ集合の部分集合でない場合には、ステップＳ１０９に進み、ＣＣ集合が宛先集合の部分集合であるか否かを判断する。ＣＣ集合が宛先集合の部分集合である場合には、ステップＳ１１０に進み、ＣＣ集合が宛先集合の部分集合でない場合には、例外処理に進む。
【００８９】
ステップＳ１０９に続いてステップＳ１１０では、送信先アドレス取得手段１１４が、宛先集合に含まれる送信先からＣＣ集合に含まれる送信先を除いた送信先のアドレスを、「宛先」欄３に対応する送信先のアドレスとして取得し、ＣＣ集合に含まれる送信先のアドレスを「ＣＣ」欄４に対応する送信先のアドレスとして取得する。図９の例では、ステップＳ１１０によって、「宛先」欄３に対応する送信先のアドレスと、「ＣＣ」欄４に対応する送信先のアドレスの取得が行われる。
【００９０】
なお、例外処理では、例えば、優先順保持手段１１６によって保持されている送信先入力領域毎の優先順に基づき、各送信先入力領域に対応する送信先のアドレスを取得してもよい。
【００９１】
ステップＳ１０６、ステップＳ１０８、ステップＳ１１０、又は、例外処理に続いて、ステップＳ１１１では、送信先アドレス取得手段１１４が、ステップＳ１１１より前に取得した送信先入力領域毎の送信先のアドレスと、ステップＳ１０４で取得された非送信先のアドレスとを比較する。送信先入力領域毎の送信先のアドレスに、非送信先のアドレスが含まれている場合には、ステップＳ１１２に進み、そうでない場合には、ステップＳ１１３に進む。
【００９２】
ステップＳ１１１に続いてステップＳ１１２では、送信先アドレス取得手段１１４が、ステップＳ１１２までに取得された送信先入力領域毎の送信先のアドレスから、非送信先のアドレスを除いた送信先のアドレスを、新たに、当該送信先入力領域に対応する送信先のアドレスとして取得する。
【００９３】
ステップＳ１１３では、送信手段１３０が、ステップＳ１１３までに取得された送信先のアドレスに対し、情報を送信する。
【００９４】
なお、図８、図９、及び、図１２は、本発明の一実施形態に係る情報送信装置が有する表示装置における送信先入力画面の例であるが、本発明の一実施形態に係る情報受信装置が受信した情報の送信先を表示する画面も、同一の構成とすることができる。
【００９５】
（コンピュータの構成の例）
図１３から図１５は、それぞれ、本発明の一実施形態に係る表示プログラム、送信先指定プログラム、及び、送信先表示プログラムを実行するコンピュータの構成例である。図１３から図１５は、略同一の構成であるため、ここでは、図１３の表示プログラムを主として説明する。
【００９６】
本発明の一実施形態に係る表示プログラムを実行するコンピュータは、主処理部４００ａ、入力デバイス４１０ａ、表示装置４２０ａを有する。本発明の一実施形態に係る表示プログラムを実行するコンピュータは、さらに、プリンタ４３０ａ、スキャナ４４０ａ、及び、ＨＤＤ４９０ａを有してもよい。主処理部４００ａは、コンピュータの機能を実現する主たる部分であり、ＣＰＵ４０１ａ、ＲＯＭ４０８ａ、及び、ＲＡＭ４０９ａを有する。ＣＰＵ４０１ａは、仕上がりイメージ生成プログラムをＲＯＭ４０８ａ等から読み出し、ＲＡＭ４０９ａに展開することにより、本発明の一実施形態に係る表示プログラムを実行する。ＲＯＭ４０８ａは不揮発性のメモリであり、仕上がりイメージ生成プログラム等のＣＰＵ４０１ａによって実行されるプログラム、及び、画像形成装置の制御に必要なパラメータ等を保持する。ＲＡＭ４０９ａは、ＣＰＵ４０１ａが処理を行う際の、ワークメモリである。
【００９７】
入力デバイス４１０ａは、例えば、キーボード等であり、操作者が指示の入力を行う際に使用する。表示装置４２０ａは、コンピュータの状態等の表示を行い、さらに、本発明の一実施形態に係る表示装置として構成されてもよい。
【００９８】
プリンタ４３０ａは、画像を媒体に形成して出力する装置であり、スキャナ４４０ａは、媒体上に形成された画像を光学的に読み取る装置である。ＨＤＤ４９０ａは、大容量のデータを格納する。
【００９９】
本発明の一実施形態に係る表示プログラムは、ＨＤＤ４９０ａ、又は、ＲＯＭ４０８ａに格納される他に、その他図示しないドライブ装置に挿入可能な記録媒体に格納されていてもよい。
【０１００】
図１４は、本発明の一実施形態に係る送信先指定プログラムを実行するコンピュータの構成の例であり、図１５は、本発明の一実施形態に係る送信先表示プログラムを実行するコンピュータの構成の例である。図１４及び図１５のコンピュータの構成及び機能は、図１３のコンピュータの構成と同一であるので、ここでは説明を省略する。
【０１０１】
以上、発明を実施するための最良の形態について説明を行ったが、本発明は、この最良の形態で述べた実施の形態に限定されるものではない。本発明の主旨をそこなわない範囲で変更することが可能である。
【図面の簡単な説明】
【０１０２】
【図１】本発明の一実施形態に係る表示装置を有する情報送信装置を含むネットワーク構成の例の図。
【図２】情報送信装置１００及び情報受信装置２００の機能構成の例の図。
【図３】情報送信装置１００が有する電子メールアドレスを含むアドレス帳の表示の例の図。
【図４】「グループ０１」に含まれる送信先の表示の例の図。
【図５】「全員」に含まれる送信先の表示の例の図。
【図６】従来の電子メールの送信先の入力画面の例（その１）。
【図７】従来の電子メールの送信先の入力画面の例（その２）。
【図８】本発明の一実施形態に係る表示装置等による電子メールの送信先の入力画面の例（その１）。
【図９】本発明の一実施形態に係る表示装置等による電子メールの送信先の入力画面の例（その２）。
【図１０】各送信先入力領域に対応する送信先の決定方法を示す原理図。
【図１１】送信先入力領域毎に対応する送信先のアドレスを取得する処理の例のフロー図。
【図１２】本発明の一実施形態に係る表示装置等による電子メールの送信先の入力画面の例（その３）。
【図１３】本実施形態の表示プログラムを実行するコンピュータの構成の例。
【図１４】本実施形態の送信先指定プログラムを実行するコンピュータの構成の例。
【図１５】本実施形態の送信先表示プログラムを実行するコンピュータの構成の例。
【符号の説明】
【０１０３】
１００  情報送信装置
１１０  表示装置
１１１  送信先入力画面表示手段
１１２  指定送信先取得手段
１１３  非送信先取得手段
１１４  送信先アドレス取得手段
１１５  比較手段
１１６  優先順保持手段
１２０  送信先入力画面生成手段
１３０  送信手段
１４０  入力手段
１９０  送信先情報保持手段
２００  情報受信装置
２１０  表示手段
２３０  受信手段
８００  ネットワーク
９００  情報送受信サーバ
９９０  送信先情報保持手段
【図１】
2008071310.tif 000003
【図２】
2008071310.tif 000004
【図３】
2008071310.tif 000005
【図４】
2008071310.tif 000006
【図５】
2008071310.tif 000007
【図６】
2008071310.tif 000008
【図７】
2008071310.tif 000009
【図８】
2008071310.tif 000010
【図９】
2008071310.tif 000011
【図１０】
2008071310.tif 000012
【図１１】
2008071310.tif 000013
【図１２】
2008071310.tif 000014
【図１３】
2008071310.tif 000015
【図１４】
2008071310.tif 000016
【図１５】
2008071310.tif 000017